(57)【要約】【課題】アンテナベース部とアンテナポール部とを互いに接続するネジの緩み防止機能が低下しにくいアンテナ装置を提供する。【解決手段】アンテナポール部１０のブラケット１３を回転させると、雄ネジ１５がアンテナベース部２０に設けられた雌ネジ２２ｂに入り込んでいく。そして、ポールカバー１６の底面部とアンテナベース部２０の当接面とが当接すると、ブラケット１３のアンテナベース部２０方向への移動が規制される。この後、ブラケット１３をさらに回転させると、雄ネジ１５は雌ネジ２２ｂに入り込んでいく。これにより、ブラケット１３と雄ネジ１５のネジ頭１５ａの間に設けられた板バネ１４が収縮する。この板バネ１４の反力により、ネジの緩みが防止される。【選択図】図２
2005130130.tif 000002
【特許請求の範囲】
【請求項１】
車両に装着されるアンテナベース部と、当該アンテナベース部に取り付けられる棒状のアンテナポール部とを有するアンテナ装置であって、
前記アンテナポール部は、
貫通孔を有するブラケットと、
当該ブラケットの貫通孔に挿入され、前記アンテナベース部に設けられた雌ネジにネジ結合する雄ネジと、
前記雄ネジが前記ブラケットに対して前記雄ネジの締め付け方向に移動可能に、前記ブラケットの回転を前記雄ネジに伝達する回転伝達機構と、
前記ブラケットと前記雄ネジとの間に設けられた弾性部材と、
前記アンテナベース部に対向する第１の当接面と、
を有し、
前記アンテナベース部は、前記第１の当接面に対向する第２の当接面を有し、
前記アンテナポール部を前記アンテナベース部に取り付ける際、前記第１の当接面と前記第２の当接面とが当接し、当該当接により前記ブラケットの前記アンテナベース部方向への移動が規制された後、前記ブラケットを回転させると、当該回転により前記回転伝達機構を介して前記雄ネジが回転し、当該回転により前記雄ネジが前記雌ネジに進入し、当該進入により前記弾性部材が収縮し、当該収縮により前記ブラケットが前記アンテナベース部方向に付勢されることを特徴とするアンテナ装置。
【請求項２】
請求項１に記載のアンテナ装置であって、
前記回転伝達機構は、
前記雄ネジの締め付け方向に垂直に切ったときの、前記雄ネジのうち前記貫通孔の内壁に接する接触部の断面形状および前記貫通孔の断面形状を、前記貫通孔が回転したとき前記貫通孔の内壁から前記接触部の外壁に回転力が加わる形状とすることによって構成されることを特徴とするアンテナ装置。
【請求項３】
請求項１または２に記載のアンテナ装置であって、
前記アンテナポール部は、前記第１の当接面に設けられた第１の係合部を有し、
前記アンテナベース部は、前記第２の当接面に設けられ、前記第１の係合部と係合する第２の係合部を有し、
前記第１の当接面と前記第２の当接面とが当接した後、前記ブラケットを回転させると、前記第１の当接面が前記第２の当接面に押し付けられた状態で、前記第１の係合部と前記第２の係合部とが係合することを特徴とするアンテナ装置。
【請求項４】
請求項３に記載のアンテナ装置であって、
前記アンテナポール部は可倒機構を有し、
前記第１の係合部および第２の係合部は、互いに係合したときに前記アンテナポール部の可倒方向が所望の方向になる位置に設けられていることを特徴とするアンテナ装置。
【発明の詳細な説明】
【技術分野】
【０００１】
本発明は、車両に装着される棒状のアンテナ装置に関し、特に、車両に取り付けられるアンテナベース部と棒状のアンテナポール部との接続構造に関する。
【背景技術】
【０００２】
車両に取り付けられたアンテナベースに、棒状のアンテナポールをネジによって固定するアンテナ装置において、ネジの緩みを防止する構造が提案されている（例えば、特許文献１参照）。
【０００３】
図６は、従来のアンテナ装置の接続部分の構成を示す断面図である。アンテナポールはアンテナエレメント（不図示）を有する。アンテナエレメントの基端には、取付金具３１が一体的に設けられている。この取付金具３１に雄ネジ３２が突設されている。アンテナエレメントおよび取付金具３１には、可撓性絶縁樹脂で形成されたアンテナカバー３３が被せられている。また、アンテナベース４０には、取付金具３１の雄ネジ３２が螺合する雌ネジ４１が設けられた取付ナット４２がインサート成形等により一体的に設けられている。
【０００４】
アンテナカバー３３の開口端側には、円周状に舌片３３ａが設けられている。一方、舌片３３ａが当接するアンテナベース４０の面には、図７に示されるとおり、軸に対して放射状に、断面山形の複数の突条４３が設けられている。
【０００５】
このアンテナ装置の組立においては、取付金具３１の雄ネジ３２をアンテナベース４０の取付ナット４２の雌ネジ４１に螺合させることにより、アンテナエレメントをアンテナベース４０に固定する。このとき、アンテナカバー３３の舌片３３ａにアンテナベース４０の複数の突条４３が食い込むことにより、雄ネジ３２の緩みが防止される。
【０００６】
【特許文献１】特開平１０−２１５１１１号公報
【発明の開示】
【発明が解決しようとする課題】
【０００７】
しかし、上記のアンテナ装置には以下の問題がある。
【０００８】
アンテナベースへのアンテナポールの着脱を繰り返した場合、舌片３３ａが突条４３により削れてしまう。また、アンテナポール保持中に、舌片３３ａが突条４３に食い込んだままの状態が長く続くと、舌片３３ａに撓んだ形状のくせが付いてしまう。これらの結果、ネジの緩み防止の機能が低下してしまう。
【０００９】
車両に取り付けられる可倒式ポールアンテナにおいて、アンテナポール側に可倒機構（折れ曲がり機構ともいう）を備えたものがある。このような可倒式ポールアンテナでは、可倒方向が所望の方向を向くようにアンテナポールを固定する必要がある。しかし、上記の固定方法では、ネジの精度や個人の力の相違によって、アンテナポールが固定される位置が定まらない。
【００１０】
本発明は、アンテナベース部とアンテナポール部とを互いに接続するネジの緩み防止機能が低下しにくいアンテナ装置を提供することができる。
【００１１】
また、本発明は、可倒機構を備えるアンテナポール部の位置決めが可能なアンテナ装置を提供することができる。
【課題を解決するための手段】
【００１２】
本発明は、車両に装着されるアンテナベース部と、当該アンテナベース部に取り付けられる棒状のアンテナポール部とを有するアンテナ装置であって、前記アンテナポール部は、貫通孔を有するブラケットと、当該ブラケットの貫通孔に挿入され、前記アンテナベース部に設けられた雌ネジにネジ結合する雄ネジと、前記雄ネジが前記ブラケットに対して前記雄ネジの締め付け方向に移動可能に、前記ブラケットの回転を前記雄ネジに伝達する回転伝達機構と、前記ブラケットと前記雄ネジとの間に設けられた弾性部材と、前記アンテナベース部に対向する第１の当接面とを有し、前記アンテナベース部は、前記第１の当接面に対向する第２の当接面を有し、前記アンテナポール部を前記アンテナベース部に取り付ける際、前記第１の当接面と前記第２の当接面とが当接し、当該当接により前記ブラケットの前記アンテナベース部方向への移動が規制された後、前記ブラケットを回転させると、当該回転により前記回転伝達機構を介して前記雄ネジが回転し、当該回転により前記雄ネジが前記雌ネジに進入し、当該進入により前記弾性部材が収縮し、当該収縮により前記ブラケットが前記アンテナベース部方向に付勢されることを特徴とするものである。
【００１３】
また、前記回転伝達機構は、前記雄ネジの締め付け方向に垂直に切ったときの、前記雄ネジのうち前記貫通孔の内壁に接する接触部の断面形状および前記貫通孔の断面形状を、前記貫通孔が回転したとき前記貫通孔の内壁から前記接触部の外壁に回転力が加わる形状とすることによって構成されることが好ましい。
【００１４】
さらに、前記アンテナポール部は、前記第１の当接面に設けられた第１の係合部を有し、前記アンテナベース部は、前記第２の当接面に設けられ、前記第１の係合部と係合する第２の係合部を有し、前記第１の当接面と前記第２の当接面とが当接した後、前記ブラケットを回転させると、前記第１の当接面が前記第２の当接面に押し付けられた状態で、前記第１の係合部と前記第２の係合部とが係合するように構成されることが好ましい。
【００１５】
また、前記アンテナポール部が可倒機構を有する可倒式のアンテナ装置においては、前記第１の係合部および前記第２の係合部は、互いに係合したときに前記アンテナポール部の可倒方向が所望の方向になる位置に設けられることが好ましい。
【発明の効果】
【００１６】
本発明によれば、雄ネジとブラケットとの間に設けられた弾性部材の反力によりネジの緩みを防止しているので、当接面を突条に食い込ませる場合の当接面の削れや撓みが生じない。この結果、ネジの緩み防止機能が低下しにくい。
【００１７】
さらに、互いに係合したときにアンテナポール部の可倒方向が所望の方向になるように、アンテナポール部の第１の当接面に第１の係合部を設け、アンテナベース部の第２の当接面に第２の係合部を設けることとすれば、可倒機構を備えるアンテナポール部の位置決めが可能になる。
【発明を実施するための最良の形態】
【００１８】
以下、本発明の実施の形態を図面に従って説明する。
【００１９】
図１は、本実施の形態に係るアンテナ装置１００の全体構成を示す外観図である。アンテナ装置１００は、本実施の形態では、車両のルーフＲに装着される可倒式のポールアンテナである。アンテナ装置１００は、アンテナポール部１０とアンテナベース部２０とを有する。
【００２０】
アンテナポール部１０は、棒状のアンテナエレメントや可倒機構を含む。アンテナベース部２０は、車両のルーフＲに取り付けられ、アンテナポール部１０を着脱自在に支持するものである。アンテナポール部１０とアンテナベース部２０とは、ネジにより互いに接続される。
【００２１】
図２は、本実施の形態に係るアンテナ装置１００の接続部分の内部構成を示す概略図である。図３は、アンテナポール部１０の接続部分の内部構成を示す斜視図である。図４は、アンテナポール部１０をアンテナベース部２０側から観察した斜視図である。以下、図１〜４を参照し、アンテナポール部１０の構成について詳細に説明する。
【００２２】
アンテナポール部１０は、棒状のアンテナエレメント１１を有する。アンテナエレメント１１は、ヘリカルコイルからなり、可撓性絶縁樹脂で形成されたアンテナカバー１７が被せられている。アンテナエレメント１１の基端部は、導電性の回転軸部１２に接続され、アンテナエレメント１１の長手方向に垂直な軸１２ａの周りに回転可能に支持されている。以下、アンテナエレメント１１を立てた状態におけるアンテナエレメント１１の中心線（図２の線Ｘ）を中心線Ｘと称す。また、アンテナポール部１０側をポール部側と称し、アンテナベース部２０側をベース部側と称す。回転軸部１２のベース部側には、中心線Ｘに沿って、導電性のブラケット１３が取り付けられている。
【００２３】
ブラケット１３は、図３に示されるように略コ字形であり、中心線Ｘに略垂直な略長方形の底面部１３ａと、底面部１３ａの２つの長辺からポール部側に延びる側面部１３ｂ、１３ｃとを有する。側面部１３ｂ、１３ｃの端部は、回転軸部１２に接続されている。底面部１３ａの中心部には、ネジ挿通用の長丸形状の貫通孔１３ｄが形成されている。底面部１３ａのポール部側の面には、ネジ緩み防止用の金属性の板バネ１４が置かれている。
【００２４】
板バネ１４は、底面部１３ａと接する略長方形の平面部１４ａと、平面部１４ａの２つの短辺の各々の両端からポール部側に延びる計４つのバネ部１４ｂとを有する。平面部１４ａの中心部には、ブラケット１３の貫通孔１３ｄと同様の長丸形状の貫通孔１４ｃが形成されている。
【００２５】
ブラケット１３の貫通孔１３ｄおよび板バネ１４の貫通孔１４ｃには、雄ネジ１５が挿入される。この雄ネジ１５は、アンテナポール部１０とアンテナベース部２０とを接続するためのものである。雄ネジ１５は、ネジ頭１５ａがポール部側、ネジ部１５ｃがベース部側となるように挿入される。ネジ頭１５ａのベース部側の面は、板バネ１４の４つのバネ部１４ｂの端部と当接する。雄ネジ１５のネジ頭１５ａとネジ部１５ｃとの間には、回転受け部１５ｂが設けられている。この回転受け部１５ｂの断面形状は、貫通孔１３ｄ、１４ｃより僅かに小さい長丸形状である。回転受け部１５ｂの締め付け方向の長さは、雄ネジ１５の締め付け前から締め付け完了後に渡って常に回転受け部１５ｂが貫通孔１３ｄに挿入された状態となるように決められている。このため、貫通孔１３ｄが回転したとき貫通孔１３ｄの内壁から回転受け部１５ｂの外壁に回転力が加わる。したがって、ブラケット１３が回転したとき、その回転力は、回転受け部１５ｂを介して雄ネジ１５に伝達される。また、回転受け部１５ｂは、貫通孔１３ｄに対して、雄ネジ１５の締め付け方向に移動可能となっている。
【００２６】
回転軸部１２、ブラケット１３、板バネ１４、および雄ネジ１５は、雄ネジ１５の締め付け方向への移動が妨げられない態様で、可撓性絶縁材料からなるポールカバー１６により覆われている。このポールカバー１６は、ブラケット１３等の中心線Ｘ周りの外周を覆う略円筒形の円筒部１６ａと、ブラケット１３の底面部１３ａを覆う円形の底面部１６ｂとを有する。ここで、ポールカバー１６の回転に伴ってブラケット１３が回転するように、円筒部１６ａの内部形状は、ブラケット１３の外部形状に合わせた形になっている。このため、ポールカバー１６を回転させることにより、ブラケット１３を介して、雄ネジ１５を回転させることができる。ポールカバー１６の円筒部１６ａおよび底面部１６ｂには、ポールカバー１６がブラケット１３等に対して着脱自在に取り付けられるように、開口部が形成されている。底面部１６ｂに形成された開口部からは、雄ネジ１５のネジ部１５ｃが突出している。さらに、ポールカバー１６の底面部１６ｂには、その外周付近に、アンテナポール部１０の位置決め用の２つの凹部１６ｃ、１６ｄが設けられている。
【００２７】
これらの他に、アンテナポール部１０には、以下のものも設けられている。ブラケット１３の側面部１３ｂ、１３ｃには、内側に切り起こされてなる舌片１３ｅ、１３ｆが設けられている。この舌片１３ｅ、１３ｆは、雄ネジ１５のポール部側への浮き上がり、さらにはブラケット１３からの雄ネジ１５の抜けを防止する役割を果たす。また、ブラケット１３には、係止爪１３ｇ、１３ｈが設けられており、ポールカバー１６には、係止突起１６ｅ、１６ｆが設けられている。係止爪１３ｇと係止突起１６ｅと、および、係止爪１３ｈと係止突起１６ｆとが突き当たることにより、ポールカバー１６のブラケット１３からの抜けが防止される。
【００２８】
図５は、アンテナベース部２０の構成を示す斜視図である。以下、図４、５を参照して、アンテナベース部の構成について説明する。アンテナベース部２０は、車両に取り付けられる平板部２１を有する。この平板部２１のポール部側の面には、平板部２１に対して予め設定された所定の角度でアンテナポール部１０を支持するための支持部２２が設けられている。支持部２２は、上記所定の角度だけ平板部２１に対して傾斜した円形の当接面２２ａを有する。当接面２２ａは、ポールカバー１６の底面部１６ｂのベース部側の面と当接する面であり、底面部１６ｂと略同一の半径を有する。当接面２２ａには、その外周付近に、アンテナポール部１０の位置決め用の２つの凸部２２ｃ、２２ｄが設けられている。また、支持部２２には、当接面２２ａの中心に、雄ネジ１５とネジ結合する雌ネジ２２ｂが設けられている。具体的には、雌ネジ２２ｂが設けられたナットが、インサート成形等により、支持部２２に一体的に設けられている。
【００２９】
凹部１６ｃ、１６ｄおよび凸部２２ｃ、２２ｄの配置について説明する。凹部１６ｃ、１６ｄおよび凸部２２ｃ、２２ｄは、アンテナエレメント１１の可倒方向が所望の方向となるように、アンテナポール部１０を位置決めするためのものである。本実施の形態では、凸部２２ｃが凹部１６ｃに入り、凸部２２ｄが凹部１６ｄに入ったときに、アンテナエレメント１１が当接面２２ａの傾斜方向に倒れるように配置する。ここでは、凹部１６ｃ、１６ｄを、回転軸部１２の軸１２ａに平行な底面部１６ｂの直径の両端に配置し、凸部２２ｃ、２２ｄを、当接面２２ａの傾斜方向に垂直な当接面２２ａの直径の両端に配置する。なお、凹部１６ｃ、１６ｄの窪みは、底面部１６ｂの半径方向に沿って形成されており、凸部２２ｃ、２２ｄの突起は、当接面２２ａの半径方向に沿って形成されている。
【００３０】
以下、アンテナポール部１０のアンテナベース部２０への取り付けについて説明する。まず、初めに、作業者は、雄ネジ１５のネジ部１５ｃをアンテナベース部２０の雌ネジ２２ｂに差し込む。そして、ポールカバー１６を、雄ネジ１５が締まる方向に回転させる。この回転はブラケット１３を介して雄ネジ１５に伝達し、雄ネジ１５は雌ネジ２２ｂに入り込んでいく。
【００３１】
雄ネジ１５が雌ネジ２２ｂに一定量だけ入り込むと、ポールカバー１６の底面部１６ｂと支持部２２の当接面２２ａとが当接する。当接した後は、アンテナポール部１０のうち雄ネジ１５を除いた部分は、ベース部側に移動できなくなる。一方、雄ネジ１５は、ポールカバー１６をさらに回転させると、雌ネジ２２ｂに入り込んでいく。このとき、雄ネジ１５のネジ頭１５ａとブラケット１３の底面部１３ａとの距離が短くなり、板バネ１４のバネ部１４ｂが収縮する。この収縮によるバネ部１４ｂの反力によって、底面部１６ｂは当接面２２ａに押し付けられる。
【００３２】
そして、ポールカバー１６の回転に伴って凹部１６ｃ、１６ｄが回転し、凹部１６ｃ、１６ｄがそれぞれ凸部２２ｃ、２２ｄの位置にくると、凸部２２ｃが凹部１６ｃに入り、凸部２２ｄが凹部１６ｄに入り込む。これにより、アンテナポール部１０は、アンテナエレメント１１の可倒方向が当接面２２ａの傾斜方向となるように、アンテナベース部２０に固定される。また、底面部１６ｂが当接面２２ａに押し付けられているので、凸部２２ｃ、２２ｄが凹部１６ｃ、１６ｄに入り込むとき、クリック感が生じる。
【００３３】
本実施の形態によれば、以下の効果が得られる。雄ネジ１５のネジ頭１５ａの下面とブラケット１３の底面部１３ａのポール部側の面との間に板バネ１４を設け、板バネ１４が収縮した状態でアンテナポール部１０を固定するので、雄ネジ１５の緩みを防止することができる。また、板バネ１４の収縮によりブラケット１３やポールカバー１６がベース部側に付勢されるので、アンテナポール部１０をアンテナベース部２０にしっかり固定することができる。
【００３４】
また、雄ネジ１５の緩みを板バネ１４の反力により防止するので、可撓性樹脂からなるアンテナカバーの当接面をアンテナベースの突条に食い込ませることにより緩みを防止する従来の場合と比較して、着脱の繰り返しによる緩み防止機能の低下が少ない。すなわち、アンテナポール部１０を繰り返し着脱した場合であっても、雄ネジ１５の緩みを効果的に防止することができる。
【００３５】
さらに、ポールカバー１６を回転させることによって雄ネジ１５を回転させることができるので、容易に雄ネジ１５を締めたり緩めたりすることができ、アンテナポール部１０の着脱の作業性が向上する。
【００３６】
また、雄ネジ１５の回転受け部１５ｂおよびブラケット１３の貫通孔１３ｄの断面形状を長丸形状としているので、貫通孔１３ｄが回転したとき、貫通孔１３ｄの内壁から回転受け部１５ｂの外壁に回転力が加わる。これにより、ブラケット１３の回転を雄ネジ１５に伝達する回転伝達機構を、簡易な構成で実現することができる。
【００３７】
また、ポールカバー１６に凹部１６ｃ、１６ｄを設け、アンテナベース部２０に凸部２２ｃ、２２ｄを設け、凸部２２ｃ、２２ｄが凹部１６ｃ、１６ｄに入った状態でアンテナポール部１０を固定するので、固定後のアンテナポール部１０の回転を防止することができ、より一層、雄ネジ１５の緩みを防止することができる。
【００３８】
また、凸部２２ｃ、２２ｄが凹部１６ｃ、１６ｄに入るとき、板バネ１４の反力が効いているので、クリック感が生じ、入ったことを容易に感ずることができ、その時点でポールカバー１６の回転を止めることができる。
【００３９】
また、板バネ１４の反力が効いてアンテナポール部１０を保持しているので、凸部２２ｃ、２２ｄ等の形状は変形してしまうことがなく、取り外しを繰り返しても同じクリック感を得ることができる。
【００４０】
また、凸部２２ｃが凹部１６ｃに入り、凸部２２ｄが凹部１６ｄに入ったときに、アンテナエレメント１１の可倒方向が所望の方向になるように、凹部１６ｃ、１６ｄおよび凸部２２ｃ、２２ｄを配置しているので、可倒方向が定められた可倒式アンテナ装置において、アンテナポール部１０を容易に位置決めすることができる。
【００４１】
また、板バネ１４のたわみ代があるため、雄ネジ１５をある程度ねじ込んでから、さらにねじ込んでも、各所が破損することはない。
【００４２】
以上、本発明の実施の形態を示したが、本発明が上記の実施の形態に限定されないことは言うまでもない。回転伝達機構は、雄ネジ１５がブラケット１３に対して雄ネジ１５の締め付け方向に移動可能に、ブラケット１３の回転を雄ネジ１５に伝達することができれば、どのような構成であってもよい。例えば、雄ネジ１５の回転受け部１５ｂおよび貫通孔１３ｄの断面形状は、長丸形状に限られず、回転が伝達される形状であれば、三角形等の他の形状であってもよい。
【００４３】
また、雄ネジ１５とブラケット１３との間に設けられる弾性部材の種類や配置は、底面部１６ｂと当接面２２ａとが当接した後、雄ネジ１５の雌ネジ２２ｂへの進入に伴って収縮し、ブラケット１３をアンテナベース部方向に付勢することができれば、上記の実施の形態と異なる態様であってもよい。例えば、板バネ１４に代えて、コイルバネに雄ネジ１５を挿入する構成とすることができる。
【００４４】
また、アンテナベース部に対向する第１の当接面は、ポールカバー１６の底面部１６ｂに限られず、ブラケット１３の底面部１３ａのベース部側の面であってもよい。
【００４５】
また、上記の実施の形態では、第１の係合部および第２の係合部は、凹部１６ｃ、１６ｄおよび凸部２２ｃ、２２ｄであるが、第１の係合部および第２の係合部の種類、個数、位置等は適宜に変更可能である。
【図面の簡単な説明】
【００４６】
【図１】アンテナ装置１００の全体構成を示す外観図である。
【図２】アンテナ装置１００の接続部分の内部構成を示す概略図である。
【図３】アンテナポール部１０の接続部分の内部構成を示す斜視図である。
【図４】アンテナポール部１０をアンテナベース部２０側から観察した斜視図である。
【図５】アンテナベース部２０の構成を示す斜視図である。
【図６】従来のアンテナ装置の接続部分の構成を示す断面図である。
【図７】従来のアンテナ装置のアンテナベースに設けられた突条を示す平面図である。
【符号の説明】
【００４７】
１００  アンテナ装置、１０  アンテナポール部、１１  アンテナエレメント、１２  回転軸部、１２ａ  軸、１３  ブラケット、１３ａ  底面部、１３ｂ，１３ｃ  側面部、１３ｄ  貫通孔、１３ｅ，１３ｆ  舌片、１３ｇ，１３ｈ  係止爪、１４  板バネ、１４ａ  平面部、１４ｂ  バネ部、１４ｃ  貫通孔、１５  雄ネジ、１５ａ  ネジ頭、１５ｂ  回転受け部、１５ｃ  ネジ部、１６  ポールカバー、１６ａ  円筒部、１６ｂ  底面部、１６ｃ，１６ｄ  凹部、１６ｅ，１６ｆ  係止突起、１７  アンテナカバー、２０  アンテナベース部、２１  平板部、２２  支持部、２２ａ  当接面、２２ｂ  雌ネジ、２２ｃ，２２ｄ  凸部。
【図１】
2005130130.tif 000003
【図２】
2005130130.tif 000004
【図３】
2005130130.tif 000005
【図４】
2005130130.tif 000006
【図５】
2005130130.tif 000007
【図６】
2005130130.tif 000008
【図７】
2005130130.tif 000009